(57)【要約】【課題】燃料タンクの中に設けても燃料蒸気によるダメージから電気部品を保護すること。【解決手段】燃料ポンプを制御するために電気部品１１を備えてなり、燃料タンクの中に設置される燃料ポンプ用制御装置１は、電気部品１１が容器１２の中に収容されて密封される。容器１２の中には燃料蒸気を吸着するカートリッジタイプの吸着材１３が設けられる。容器１２は、容器本体１４と、容器本体１４の開口部１４ａを塞ぐ蓋部材１５を含む。電気部品１１は、制御回路ユニット１７と、制御回路ユニット１７から延びる外部端子１８を含む。外部端子１８は蓋部材１５を貫通して外部に導出され、吸着材１３が蓋部材１５と制御回路ユニット１７との間に充填される。外部端子１８は吸着材１３を貫通して配置される。【選択図】        図１
2009091936.tif 000002
【特許請求の範囲】
【請求項１】
燃料ポンプを制御するために電気部品を備え、少なくとも一部が燃料タンクの中に設置される燃料ポンプ用制御装置であって、
前記電気部品が容器の中に収容され、前記容器の中に燃料蒸気を吸着する吸着材が設けられたことを特徴とする燃料ポンプ用制御装置。
【請求項２】
前記吸着材は、前記容器の封鎖部分に設けられ、前記電気部品の少なくとも一部を包囲するように前記容器の中に充填されたことを特徴とする請求項１に記載の燃料ポンプ用制御装置。
【請求項３】
前記容器は、有底筒状の容器本体と、前記容器本体の開口部を塞ぐ蓋部材を含み、前記電気部品は、制御回路ユニットと、前記制御回路ユニットから延びる外部端子を含み、前記外部端子が前記蓋部材を貫通して外部に導出され、前記吸着材が前記蓋部材と前記制御回路ユニットとの間に充填され、前記外部端子が前記吸着材を貫通して配置されたことを特徴とする請求項１又は２に記載の燃料ポンプ用制御装置。
【請求項４】
前記吸着材は、カートリッジからなることを特徴とする請求項１乃至３の何れか一つに記載の燃料ポンプ用制御装置。
【請求項５】
前記容器は、密封されたことを特徴とする請求項１乃至４の何れか一つに記載の燃料ポンプ用制御装置。
【請求項６】
前記容器は、外部に通じる呼吸孔を含むことを特徴とする請求項１乃至４の何れか一つに記載の燃料ポンプ用制御装置。
【発明の詳細な説明】
【技術分野】
【０００１】
この発明は、エンジンに燃料を供給するために使用される燃料ポンプに係り、詳しくは、燃料ポンプを制御するための燃料ポンプ用制御装置に関する。
【背景技術】
【０００２】
従来、この種の技術して、下記の特許文献１に記載される技術が知られる。すなわち、特許文献１には、燃料タンクの中にポンプ本体が設けられるインタンク式燃料ポンプについて記載される。
【０００３】
【特許文献１】特開２００１−２１４８２６号公報
【発明の開示】
【発明が解決しようとする課題】
【０００４】
ところで、特許文献１に記載のインタンク式燃料ポンプにつき、ポンプのための制御装置（コントローラ等）を燃料タンクの中に設けることが考えられる。しかし、この場合は、燃料タンクの中で発生する燃料蒸気（ベーパ）が制御装置の電気部品に対し、故障につながるダメージを与えるおそれがあった。
【０００５】
この発明は上記事情に鑑みてなされたものであって、その目的は、燃料タンクの中に設けられても燃料蒸気によるダメージから電気部品を保護することを可能とした燃料ポンプ用制御装置を提供することにある。
【課題を解決するための手段】
【０００６】
上記目的を達成するために、請求項１に記載の発明は、燃料ポンプを制御するために電気部品を備え、少なくとも一部が燃料タンクの中に設置される燃料ポンプ用制御装置であって、電気部品が容器の中に収容され、容器の中に燃料蒸気を吸着する吸着材が設けられたことを趣旨とする。
【０００７】
上記発明の構成によれば、燃料ポンプ用制御装置の少なくとも一部が燃料タンクの中に設置されることで、この制御装置は燃料蒸気の雰囲気中にさらされる。ここで、万が一、燃料蒸気が容器の中に浸入しても、燃料蒸気は吸着材に吸着されて捕捉される。
【０００８】
上記目的を達成するために、請求項２に記載の発明は、請求項１に記載の発明において、吸着材は、容器の封鎖部分に設けられ、電気部品の少なくとも一部を包囲するように容器の中に充填されたことを趣旨とする。
【０００９】
上記発明の構成によれば、請求項１に記載の発明の作用に加え、電気部品の吸着材により包囲された部分が、吸着材により保護される。
【００１０】
上記目的を達成するために、請求項３に記載の発明は、請求項１又は２に記載の発明において、容器は、有底筒状の容器本体と、容器本体の開口部を塞ぐ蓋部材を含み、電気部品は、制御回路ユニットと、制御回路ユニットから延びる外部端子を含み、外部端子が蓋部材を貫通して外部に導出され、吸着材が蓋部材と制御回路ユニットとの間に充填され、外部端子が吸着材を貫通して配置されたことを趣旨とする。
【００１１】
上記発明の構成によれば、請求項１又は２に記載の発明の作用に加え、万が一、容器本体と蓋部材との間の封鎖部分から燃料蒸気が容器の中に浸入しても、燃料蒸気は吸着材に吸着されて捕捉される。電気部品の吸着材に包囲された外部端子の部分が、吸着材により保護される。
【００１２】
上記目的を達成するために、請求項４に記載の発明は、請求項１乃至３の何れか一つに記載の発明において、吸着材は、カートリッジからなることを趣旨とする。
【００１３】
上記発明の構成によれば、請求項１乃至３の何れか一つに記載の発明の作用に加え、カートリッジからなる吸着材は、容器に容易に挿入されて充填される。
【００１４】
上記目的を達成するために、請求項５に記載の発明は、請求項１乃至４の何れか一つに記載の発明において、容器は、密封されたことを趣旨とする。
【００１５】
上記発明の構成によれば、請求項１乃至４の何れか一つに記載の発明の作用に加え、容器が密封されるので、容器の中に燃料蒸気が入り難い。
【００１６】
上記目的を達成するために、請求項６に記載の発明は、請求項１乃至４の何れか一つに記載の発明において、容器は、外部に通じる呼吸孔を含むことを趣旨とする。
【００１７】
上記発明の構成によれば、請求項１乃至４の何れか一つに記載の発明の作用に加え、容器の中が呼吸孔を通じて大気に開放されるので、容器の中の圧力が大気圧以上に上昇することがない。
【発明の効果】
【００１８】
請求項１に記載の発明によれば、少なくとも一部が燃料タンクの中に設けられても燃料蒸気によるダメージから電気部品を保護することができる。
【００１９】
請求項２に記載の発明によれば、請求項１に記載の発明の効果に加え、電気部品の少なくとも一部を保護することができ、その耐久性を向上させることができる。
【００２０】
請求項３に記載の発明によれば、請求項１又は２に記載の発明の効果に加え、外部端子の一部を保護することができ、その耐久性を向上させることができる。
【００２１】
請求項４に記載の発明によれば、請求項１乃至３の何れか一つの発明の効果に加え、燃料ポンプ用制御装置の製造の容易化に寄与する。
【００２２】
請求項５に記載の発明によれば、請求項１乃至４の何れか一つに記載の発明の効果に加え、容器の中への燃料蒸気の浸入を抑えることができる。
【００２３】
請求項６に記載の発明によれば、請求項１乃至４の何れか一つに記載の発明の効果に加え、容器の中の圧力が飽和蒸気圧により異常上昇することを防止し、吸着材に燃料蒸気を吸着し易くすることができる。
【発明を実施するための最良の形態】
【００２４】
［第１実施形態］
以下、本発明の燃料ポンプ用制御装置を具体化した第１実施形態につき図面を参照して詳細に説明する。
【００２５】
図１に、この実施形態の燃料ポンプ用制御装置（以下「制御装置」と言う。）１を断面図により示す。図２に、この制御装置１を備えたポンプモジュール２が燃料タンク３に収容されて設けられた状態を側面図により示す。
【００２６】
図２に示すように、燃料タンク３の中に設置されたポンプモジュール２は、キャニスタ４、リザーブカップ５、燃料ポンプ６及び制御装置１を備える。キャニスタ４は、燃料タンク３の中で発生する燃料蒸気を一旦吸着するためのものであり、内部に活性炭等よりなる吸着材を内蔵する。キャニスタ４とリザーブカップ５は、連結部材７を介して互いに連結される。キャニスタ４は、その上部が燃料タンク３の上壁３ａを貫通して上壁３ａに取り付けられる。リザーブカップ５は、燃料タンク３の中で燃料の一部を貯留可能に設けられる。リザーブカップ５は、燃料タンク３の下壁３ｂに当接して設けられる。燃料ポンプ６は、リザーブカップ５の中に収容されて設けられる。制御装置１は、キャニスタ４とリザーブカップ５との連結部分に挟まれて連結部材７に固定される。制御装置１から延びるハーネス８は、燃料ポンプ６に電気的に接続される。
【００２７】
燃料タンク３の中に設置される制御装置１は、図１に示すように、燃料ポンプ６を制御するために電気部品１１を備えて構成される。電気部品１１は、容器１２の中に収容されて密封される。容器１２の中には、燃料蒸気を吸着する吸着材１３が設けられる。
【００２８】
図１に示すように、容器１２は、有底筒状の金属製の容器本体１４と、容器本体１４の開口部１４ａを塞ぐ樹脂製の蓋部材１５を含む。蓋部材１５は、その外周に設けられたＯリングや接着剤シール等よりなるシール部材１６を介して開口部１４ａに嵌合される。蓋部材１５の上部には、外部のハーネス８を接続するためのコネクタ穴１５ａが形成される。
【００２９】
電気部品１１は、制御回路ユニット１７と、制御回路ユニット１７から延びる外部端子１８を含む。制御回路ユニット１７は、基板１９上に複数の回路素子２０を備えて構成される。制御回路ユニット１７は、燃料ポンプ６を制御するための回路構成を備える。この実施形態では、制御回路ユニット１７の外面全体にコーティング材（図示略）が塗布される。コーティング材として、「ゴム系又はフッ素系の接着剤」が使用される。このコーティング材により、回路素子２０等を保護することができる。外部端子１８は基板１９から延び、蓋部材１５を貫通して外部に導出される。吸着材１３は、蓋部材１５と制御回路ユニット１７との間の空間に充填される。この実施形態で、吸着材１３として、「ヤシガラ、石炭、木炭等からなる活性炭」が使用される。また、吸着材１３は、カートリッジとして構成される。すなわち、吸着材１３は、予め円柱形状に固められたカートリッジとなっている。容器本体１４の上部には、その外径及び内径を縮小する段差部１４ｂが形成される。吸着材１３は、この段差部１４ｂに掛け止めされる。外部端子１８は、吸着材１３に形成された孔１３ａを貫通して配置され、その先端部が蓋部材１５のコネクタ穴１５ａの中に突出される。
【００３０】
この実施形態では、外部端子１８は、蓋部材１５に対してインサート成形される。すなわち、蓋部材１５を樹脂成形する際、外部端子１８がインサート品として金型の中に配置され、蓋部材１５と一体的に樹脂成形される。インサート成形の前に、外部端子１８の外周にはプライマ（図示略）が塗布される。プライマは、インサート成形後に蓋部材１５と外部端子１８との間に介在することで、シール機能を発揮する。すなわち、外部端子１８と蓋部材１５との隙間から燃料蒸気が容器１２の中へ浸入するのを防止することができる。この実施形態では、プライマとして「ニトリルゴム系接着剤」が使用される。外部端子１８が蓋部材１５にインサート成形されるので、吸着材１３及び制御回路ユニット１７と外部端子１８及び蓋部材１５の組み付けは、これらが容器本体１４に収容される前に行われることとなる。すなわち、蓋部材１５にインサート成形された外部端子１８に対し、吸着材１３を挿通した後、その外部端子１８の基端部を制御回路ユニット１７の基板１９に接続して固定する。このように組み付けられた各部品１３，１５，１７，１８を、制御回路ユニット１７、吸着材１３の順で容器本体１４の中に挿入し、最後に蓋部材１５を容器本体１４の開口部１４ａに嵌め込む。このような手順で図１に示す制御装置１を作製することができる。
【００３１】
以上説明したこの実施形態の制御装置１によれば、燃料タンク３の中に設置されることで、この制御装置１が燃料蒸気の雰囲気中にさらされる。ここで、万が一、密封部分である蓋部材１５と容器本体１４の開口部１４ａとの隙間から、燃料蒸気が容器１２の中に浸入しても、燃料蒸気は吸着材１３に吸着されて捕捉される。このため、燃料蒸気が電気部品１１にかかることがなく、燃料蒸気によるダメージから電気部品１１を保護することができる。
【００３２】
また、この実施形態では、吸着材１３により包囲された外部端子１８の一部が吸着材１３により保護される。このため、外部端子１８の耐久性を向上させることができる。また、この実施形態では、カートリッジからなる吸着材１３は、単体として取り扱いが可能であり、容器１２に容易に挿入され、充填される。この意味で、この制御装置１の製造の容易化に寄与する。
【００３３】
［第２実施形態］
次に、本発明の燃料ポンプ用制御装置を具体化した第２実施形態につき図面を参照して詳細に説明する。
【００３４】
なお、以下に説明する各実施形態において、第１実施形態と同じ構成要素については、同一の符号を付して説明を省略する。以下には、異なった点を中心に説明する。
【００３５】
図３に、この実施形態の燃料ポンプ用制御装置２１を断面図により示す。この実施形態では、吸着材２２の構成の点で、第１実施形態と構成が異なる。すなわち、この実施形態では、カートリッジタイプの吸着材１３に代わって、固めていない粒状の吸着材２２が使用される。粒状の吸着材２２は、容器１２の中の制御回路ユニット１７の周囲の全空間に充填されて設けられる。その他の構成は、基本的に第１実施形態のそれと同じである。
【００３６】
したがって、この実施形態でも、第１実施形態と同等の作用効果を得ることができる。特に、この実施形態では、制御回路ユニット１７の周囲が粒状の吸着材２２により包囲されるので、制御回路ユニット１７を保護することができ、その耐久性を向上させることができる。
【００３７】
［第３実施形態］
次に、本発明の燃料ポンプ用制御装置を具体化した第３実施形態につき図面を参照して詳細に説明する。
【００３８】
図４に、この実施形態の燃料ポンプ用制御装置２５を断面図により示す。この実施形態では、吸着材２２の構成の点で、第２実施形態と構成が異なる。すなわち、この実施形態では、粒状の吸着材２２が、容器１２の中にて制御回路ユニット１７の上半分の周囲の空間に充填される点で、第２実施形態と構成が異なる。容器本体１４の中の中間部分には、仕切板２６が設けられ、その仕切板２６と蓋部材１５との間の空間に粒状の吸着材２２が充填される。容器本体１４の中間部分には、段差部１４ｂが形成される。仕切板２６は、この段差部１４ｂに掛け止めされる。
【００３９】
したがって、この実施形態でも、第２実施形態と同等の作用効果を得ることができる。特に、この実施形態では、第２実施形態に比べて、吸着材２２の使用量を半分に削減させることができ、経済的である。
【００４０】
［第４実施形態］
次に、本発明の燃料ポンプ用制御装置を具体化した第４実施形態につき図面を参照して詳細に説明する。
【００４１】
図５に、この実施形態の燃料ポンプ用制御装置３１を断面図により示す。この実施形態では、蓋部材１５の構成の点で、第１実施形態と構成が異なる。すなわち、この実施形態では、蓋部材１５に呼吸孔１５ｂが形成される。これにより、容器１２が、外部に通じる呼吸孔１５ｂを含むこととなる。
【００４２】
したがって、この実施形態では、第１実施形態の作用効果に加えて、容器１２の中が呼吸孔１５ｂを通じて大気に開放されるので、容器１２の中の圧力が大気圧以上に上昇することがない。このため、容器１２の中の圧力が、燃料蒸気の飽和蒸気圧により異常上昇することを防止することができ、吸着材１３に燃料蒸気を吸着し易くすることができる。
【００４３】
［第５実施形態］
次に、本発明の燃料ポンプ用制御装置を具体化した第５実施形態につき図面を参照して詳細に説明する。
【００４４】
図６に、この実施形態の燃料ポンプ用制御装置３２を断面図により示す。この実施形態では、蓋部材１５の構成の点で、第２実施形態と構成が異なる。すなわち、この実施形態でも、蓋部材１５に呼吸孔１５ｂが形成される。これにより、容器１２が、外部に通じる呼吸孔１５ｂを含むこととなる。
【００４５】
したがって、この実施形態では、第２実施形態の作用効果に加えて、容器１２の中が呼吸孔１５ｂを通じて大気に開放されるので、容器１２の中の圧力が大気圧以上に上昇することがない。このため、容器１２の中の圧力が、燃料蒸気の飽和蒸気圧により異常上昇することを防止することができ、吸着材２２に燃料蒸気を吸着し易くすることができる。
【００４６】
［第６実施形態］
次に、本発明の燃料ポンプ用制御装置を具体化した第６実施形態につき図面を参照して詳細に説明する。
【００４７】
図７に、この実施形態の燃料ポンプ用制御装置３３を断面図により示す。この実施形態では、蓋部材１５の構成の点で、第３実施形態と構成が異なる。すなわち、この実施形態でも、蓋部材１５に呼吸孔１５ｂが形成される。これにより、容器１２が、外部に通じる呼吸孔１５ｂを含むこととなる。
【００４８】
したがって、この実施形態では、第３実施形態の作用効果に加えて、容器１２の中が呼吸孔１５ｂを通じて大気に開放されるので、容器１２の中の圧力が大気圧以上に上昇することがない。このため、容器１２の中の圧力が、燃料蒸気の飽和蒸気圧により異常上昇することを防止することができ、吸着材２２に燃料蒸気を吸着し易くすることができる。
【００４９】
［第７実施形態］
次に、本発明の燃料ポンプ用制御装置を具体化した第７実施形態につき図面を参照して詳細に説明する。
【００５０】
図８に、この実施形態の燃料ポンプ用制御装置３１を備えたポンプモジュール３４が燃料タンク３に収容されて設けられた状態を一部破断して側面図により示す。図８では、リザーブカップ５、燃料ポンプ６及び連結部材７の図示が省略される。この実施形態では、燃料タンク３の上壁３ａに取り付けられたセットプレー３５の内側（下面側）に、燃料ポンプ用制御装置３１が取り付けられる点で、第４実施形態と構成が異なる。すなわち、セットプレート３５は、このポンプモジュール３４を燃料タンク３に取り付けるための部材であり、セットプレート３５の内側にキャニスタ４が支持される。制御装置３１は、その蓋部材１５が、セットプレート３５の内側に形成された取付穴３５ａに圧入されて取り付けられる。蓋部材１５は、熱板溶着又は接着剤により取付孔３５ａに固定される。セットプレート３５と一体に形成されたカバー３６には、外部に通じる通気孔３６ａが形成される。セットプレート３５には、制御装置３１の呼吸孔１５ｂに連通する連通管３７が設けられる。連通管３７の先端開口部は、カバー３６の内側に設けられたフィルタ３８を介して通気孔３６ａに連通する。フィルタ３８は、水蒸気の通過を許容し、水滴の通過を阻止する特性を有するものである。
【００５１】
したがって、この実施形態では、第４実施形態の作用効果に加えて、制御装置３１がセットプレート３５の内側に固定されるので、制御装置３１を含むポンプモジュール３４を、第４実施形態と比べてよりコンパクトにすることができる。また、制御装置３１の呼吸孔１５ｂが連通管３７、フィルタ３８及び通気孔３６ａを介して外部に連通するので、通気孔３６ａから燃料成分を含む液体が外部へ漏れることがない。
【００５２】
［第８実施形態］
次に、本発明の燃料ポンプ用制御装置を具体化した第８実施形態につき図面を参照して詳細に説明する。
【００５３】
図９に、この実施形態の燃料ポンプ用制御装置３９を備えたポンプモジュール４０が燃料タンク３に収容されて設けられた状態を一部破断して側面図により示す。この実施形態のポンプモジュール４０は、前記各実施形態と異なりキャニスタを持たないタイプのものであり、セットプレート４１と、セットプレート４１に支持されたリザーブカップ５と、リザーブカップ５の中に収容された燃料ポンプ６等とを備える。この実施形態では、制御装置３９は、セットプレート４１と一体的に設けられる。すなわち、セットプレート４１には、その外側（上面側）に上方へ飛び出たケース４２とコネクタ４３が一体に形成される。この他、セットプレート４１の外側には、燃料ポンプ６等に関わる他の部品（図示略）が飛び出して設けられる。セットプレート４１の内側には、ケース２に対応して金属製のカップ４４が取り付けられる。このカップ４４は、燃料タンク３の中に配置される。カップ４４の中は、ケース４２の中に連通する。カップ４４は、セットプレート４１に対してインサート成形される。この実施形態では、ケース４２とカップ４４により、制御装置３９の容器４５が構成される。この容器４５の中には、電気部品１１と吸着材１３が収容される。電気部品１１は、カップ４４に固定され、吸着材１３はケース４２に固定される。制御ユニット１７から延びる外部端子１８は、吸着材１３を貫通し、先端部がコネクタ４３の中に配置される。ケース４２には、外部に通じる呼吸孔４２ａが形成される。ケース４２の内側には、呼吸孔４２ａを覆うようにフィルタ３８が設けられる。
【００５４】
したがって、この実施形態の燃料ポンプ用制御装置３９でも、容器４５に収容した吸着材１３について、前記各実施形態と同等の作用効果を得ることができる。加えて、この実施形態では、制御装置３９がセットプレート４１と一体的に設けられ、しかも、セットプレート４１と一体のケース４２が容器４５を構成するので、制御装置３９をポンプモジュール４０に対してコンパクトに設けることができる。容器４５を構成するケース４２は、セットプレート４１の上側に飛び出るが、その他の部品も同様にセットプレート４１の上側に飛び出る。このため、制御装置３９を構成するケース４２の飛び出しが、燃料タンク３の車両に対する搭載性の点で問題となることはない。また、制御装置３９のうち、燃料タンク３の中に位置するのがカップ４４の部分だけと少なくなり、リザーブカップ５や燃料ポンプ６との干渉を少なくすることができる。また、ケース４２の呼吸孔４２ａにフィルタ３８が設けられるので、呼吸孔３８ａから燃料成分等を含む液体が外部へ漏れることがない。
【００５５】
尚、この発明は前記各実施形態に限定されるものではなく、発明の趣旨を逸脱することのない範囲で構成の一部を適宜変更することにより、以下のように実施することもできる。
【００５６】
例えば、前記第１実施形態では、制御回路ユニット１７の外面全体にコーティング材を塗布したが、図１０に示すように、コーティング材の代わりに、又は、コーティング材の塗布と共に、制御回路ユニット１７をケース３０で覆ってもよい。第２〜第８の実施形態についても、上記と同様の変更を加えることができる。
【図面の簡単な説明】
【００５７】
【図１】第１実施形態に係り、燃料ポンプ用制御装置を示す断面図。
【図２】第１実施形態に係り、制御装置を備えたポンプモジュールが燃料タンクに収容された状態を示す側面図。
【図３】第２実施形態に係り、燃料ポンプ用制御装置を示す断面図。
【図４】第３実施形態に係り、燃料ポンプ用制御装置を示す断面図。
【図５】第４実施形態に係り、燃料ポンプ用制御装置を示す断面図。
【図６】第５実施形態に係り、燃料ポンプ用制御装置を示す断面図。
【図７】第６実施形態に係り、燃料ポンプ用制御装置を示す断面図。
【図８】第７実施形態に係り、制御装置を備えたポンプモジュールが燃料タンクに収容された状態を一部破断して示す側面図。
【図９】第８実施形態に係り、制御装置を備えたポンプモジュールが燃料タンクに収容された状態を一部破断して示す側面図。
【図１０】別の実施形態に係り、燃料ポンプ用制御装置を示す断面図。
【符号の説明】
【００５８】
１    燃料ポンプ用制御装置
３    燃料タンク
６    燃料ポンプ
１１    電気部品
１２    容器
１３    吸着材
１４    容器本体
１４ａ    開口部
１５    蓋部材
１５ｂ    呼吸孔
１７    制御回路ユニット
１８    外部端子
１９    基板
２０    回路素子
２１    燃料ポンプ用制御装置
２２    粒状の吸着材
２５    燃料ポンプ用制御装置
３１    燃料ポンプ用制御装置
３２    燃料ポンプ用制御装置
３３    燃料ポンプ用制御装置
３９    燃料ポンプ用制御装置
４２    ケース
４２ａ    呼吸孔
４４    カップ
４５    容器
【図１】
2009091936.tif 000003
【図２】
2009091936.tif 000004
【図３】
2009091936.tif 000005
【図４】
2009091936.tif 000006
【図５】
2009091936.tif 000007
【図６】
2009091936.tif 000008
【図７】
2009091936.tif 000009
【図８】
2009091936.tif 000010
【図９】
2009091936.tif 000011
【図１０】
2009091936.tif 000012